(57)【特許請求の範囲】
【請求項１】
硬貨投入部から投入された硬貨を繰出し部により１枚ずつ繰出して硬貨搬送部により硬貨鑑別部に搬送し、該硬貨鑑別部で真と鑑別した硬貨を計数した後、硬貨一時貯留部に一時貯留し、リジェクトと鑑別された硬貨を硬貨リジェクト部から返却する硬貨入金機と、装置上部を覆うトップカバーを備え、前記繰出し部で硬貨の繰出し不良が発生した場合、前記トップカバーを開けて繰出し不良の原因を排除することが可能な入金装置において、
硬貨搬送方向における前記硬貨鑑別部の下流側にリジェクト硬貨を硬貨リジェクト部に導くリジェクト孔を設けると共に、更にこのリジェクト孔の下流側に前記硬貨鑑別部で計数された真の硬貨を前記一時貯留部に導く硬貨通過孔を設け、
硬貨の鑑別、計数時に発生した硬貨繰出し不良の原因を排除する際、前記トップカバーが開けられてから閉められるまでの間に前記硬貨搬送部が動かされなかった場合は、前記トップカバーが閉められた後、硬貨の鑑別計数を再開し、前記硬貨搬送部が動かされた場合は、障害発生として前記硬貨投入部から投入されたすべての硬貨を返却することを特徴とする入金装置。
【請求項２】
請求項１記載の入金装置において、
紙幣投入部から投入された紙幣を繰出し部により１枚ずつ繰出して紙幣搬送部により紙幣鑑別部に搬送し、該紙幣鑑別部で真と鑑別した紙幣を計数した後、紙幣一時貯留部に一時貯留し、リジェクトと鑑別された紙幣を紙幣リジェクト部から返却する紙幣入金機を有し、
前記硬貨繰出し不良の原因を排除する際、前記トップカバーが開けられてから閉められるまでの間に前記紙幣搬送部が動かされなかった場合は、前記トップカバーが閉められた後、前記紙幣の鑑別計数を再開し、前記紙幣搬送部が動かされた場合は、障害発生として前記紙幣投入部から投入されたすべての紙幣を返却することを特徴とする入金装置。
【請求項３】
硬貨投入部から投入された硬貨を繰出し部により１枚ずつ繰出して硬貨搬送部により硬貨鑑別部に搬送し、該硬貨鑑別部で真と鑑別した硬貨を計数した後、硬貨一時貯留部に一時貯留し、リジェクトと鑑別された硬貨を硬貨リジェクト部から返却する硬貨入金機と、装置上部を覆うトップカバーを備え、前記繰出し部で硬貨の繰出し不良が発生した場合、前記トップカバーを開けて繰出し不良の原因を排除することが可能な入金装置において、
硬貨搬送方向における前記硬貨鑑別部の下流側にリジェクト硬貨を硬貨リジェクト部に導く開閉可能なリジェクト孔を設けると共に、更にこのリジェクト孔の下流側に前記硬貨鑑別部で計数された真の硬貨を前記一時貯留部に導く硬貨通過孔を設け、
硬貨の鑑別、計数時に硬貨繰出し不良が発生したとき、前記リジェクト孔を開けて前記トップカバーが開けられてから閉められるまでの間に前記硬貨搬送部が動かされた場合、それにより搬送された硬貨を前記リジェクト孔により前記硬貨リジェクト部に導くようにしたことを特徴とする入金装置。
【請求項４】
請求項３記載の入金装置において、
紙幣投入部から投入された紙幣を繰出し部により１枚ずつ繰出して紙幣搬送部により紙幣鑑別部に搬送し、該紙幣鑑別部で真と鑑別した紙幣を計数した後、紙幣一時貯留部に一時貯留し、リジェクトと鑑別された紙幣を紙幣リジェクト部から返却する紙幣入金機を有し、
硬貨の鑑別、計数時に硬貨繰出し不良が発生したとき、前記トップカバーが開けられてから閉められるまでの間に前記紙幣搬送部が動かされた場合、それにより搬送された紙幣を前記紙幣リジェクト部に導くようにしたことを特徴とする入金装置。
【発明の詳細な説明】
【技術分野】
【０００１】
本発明は、スーパーマーケットやショッピングセンター、パチンコ店等の店舗に設置され、店舗の売上金や釣銭準備金等の入金処理を行う入金装置に関するものである。
【背景技術】
【０００２】
従来のこの種の入金装置として、例えば特許文献１に示されるものがある。
この入金装置では、硬貨の入金処理において、硬貨入金口に硬貨を投入すると、硬貨入金口の下部に設けられた繰出し部により硬貨が一枚ずつ繰出されて搬送部により鑑別部に搬送され、この鑑別部で正常と鑑別された硬貨は金種別に計数されて、一時保留部に一時保留された後、収納金庫内に収納され、鑑別部でリジェクトと鑑別された硬貨はリジェクト部に送られて集積されるものとなっている。
【０００３】
このような入金装置において、繰出し部により繰出された硬貨の搬送、鑑別を行う装置として、例えば特許文献２に示されるものがある。
【０００４】
この装置は、モーターにより回転する円板状の搬送部の外周に複数の切欠部を設け、繰出し部により繰出された硬貨を一枚ずつ切欠部に送り込んで搬送すると共に、搬送途中で鑑別部により鑑別を行い、真と鑑別された硬貨を硬貨通過孔を介して一時保留部に送込み、リジェクトと鑑別された硬貨はリジェクト孔を介してリジェクト部に送込むことができるようになっている。
【先行技術文献】
【特許文献】
【０００５】
【特許文献１】特開２００５−１４１３２７１号公報
【特許文献２】特開平０８−２２９５１３号公報
【発明の概要】
【発明が解決しようとする課題】
【０００６】
しかしながら、上述した従来の技術においては、以下の問題がある。
例えば、投入硬貨にクリップ等の異物が混入し、この異物により繰出し部に硬貨が引っかかって搬送部への繰出しができなくなるという繰出し不良が生じた場合、装置の動作を中断してオペレータが装置のトップカバーを開き、異物を除去することで繰出し不良の原因を排除した後、入金等の処理を再開できるようにしているが、オペレータがトップカバーを開いたとき、搬送部が露出していると、操作ミスにより搬送部が回転して鑑別、計数されていない硬貨が正常硬貨用の穴に運ばれて一時保留部に集積されてしまうという不都合を生じる結果となる。
【０００７】
そこでこのような不都合を解消するため、トップカバーとは別に搬送部を含むユニットを覆う開閉可能なユニットカバーを設けて、トップカバーを開いたとき搬送部が露出しないようにする構造が考えられているが、その場合、搬送部でジャムが生じたときにジャム硬貨を除去するためユニットカバーは開閉可能にする必要があり、更に搬送部でジャムが生じても、搬送部を手動で回転すればジャムを解消できる場合もあるので、搬送部を手動で回転させるための操作ノブ等を付加することも必要となる。
【０００８】
このような構造にあっては、前記のように繰出し部での繰出し不良の発生によりトップカバーを開いた状態で、ユニットカバーが開かれたことをセンサが検知した場合、この状態では、操作ミスにより計数されていない硬貨を正常硬貨用の通過孔に落としてしまう可能性があって、一時保留部に集積されている硬貨の金種、枚数を確定することができないため、トップカバーを開いた状態で、ユニットカバーが開かれたことをセンサが検知した場合は障害発生として扱い、一時保留部及びリジェクト部に集積されている硬貨をすべて返却し、繰出し不良の原因を排除してトップカバーを閉じるまで、ユニットカバーが開かれない場合は、鑑別、計数の中断時における搬送部の硬貨の状態が保たれているので、中断時までの計数結果を生かして入金等の処理を再開、継続できるようにすることが考えられるが、ユニットカバーを開かず閉じたままの状態で操作ノブ等により手動で搬送部を回転させてしまうと、鑑別、計数されていない硬貨が正常硬貨用の通過孔に運ばれて一時保留部に集積され、最終的に収納金庫に収納されてしまうため、計数結果と金庫内の現金とが一致しなくなってしまうという問題がある。
本発明は、このような問題を解決することを課題とする。
【課題を解決するための手段】
【０００９】
そのため、本発明は、硬貨投入部から投入された硬貨を繰出し部により１枚ずつ繰出して硬貨搬送部により硬貨鑑別部に搬送し、該硬貨鑑別部で真と鑑別した硬貨を計数した後、硬貨一時貯留部に一時貯留し、リジェクトと鑑別された硬貨を硬貨リジェクト部から返却する硬貨入金機と、装置上部を覆うトップカバーを備え、前記繰出し部で硬貨の繰出し不良が発生した場合、前記トップカバーを開けて繰出し不良の原因を排除することが可能な入金装置において、硬貨搬送方向における前記硬貨鑑別部の下流側にリジェクト硬貨を硬貨リジェクト部に導くリジェクト孔を設けると共に、更にこのリジェクト孔の下流側に前記硬貨鑑別部で計数された真の硬貨を前記一時貯留部に導く硬貨通過孔を設け、硬貨の鑑別、計数時に発生した硬貨繰出し不良の原因を排除する際、前記トップカバーが開けられてから閉められるまでの間に前記硬貨搬送部が動かされなかった場合は、前記トップカバーが閉められた後、硬貨の鑑別計数を再開し、前記硬貨搬送部が動かされた場合は、障害発生として前記硬貨投入部から投入されたすべての硬貨を返却することを特徴とする。
【発明の効果】
【００１０】
このようにした本発明は、硬貨の鑑別、計数時に発生した硬貨繰出し不良の原因を排除する際、前記トップカバーが開けられてから閉められるまでの間に前記硬貨搬送部が動かされなかった場合は、前記トップカバーが閉められた後、硬貨の鑑別計数を再開し、前記硬化搬送部が動かされた場合は、障害発生として前記硬貨投入部から投入されたすべての硬貨を返却するようにしているため、トップカバーを開けた場合でも、硬貨搬送部が動かされなかった場合は、それまでの計数結果を生かすことができ、そして硬貨搬送部が動かされた場合は、計数結果と金庫内の現金とが一致しなくなるという問題を解決できるという効果が得られる。
【図面の簡単な説明】
【００１１】
【図１】第１の実施例を示す内部構成を示す概略図
【図２】実施例における紙幣入金機の内部構成を示す概略側面図
【図３】実施例における硬貨入金機の要部平面図
【図４】実施例を用いた入金システムの構成図
【図５】第１の実施例の作用を示すフローチャート
【図６】メニュー画面の例を示す図
【図７】カード要求画面の例を示す図
【図８】現金投入画面の例を示す図
【図９】計数中画面の例を示す図
【図１０】選択画面の例を示す図
【図１１】カバー開誘導画面の例を示す図
【図１２】繰出し不良除去画面の例を示す図
【図１３】第２の実施例の作用を示すフローチャート
【図１４】第３の実施例の作用を示すフローチャート
【発明を実施するための形態】
【００１２】
以下、図面を参照して本発明による入金装置の実施例を説明する。
【実施例１】
【００１３】
図１は第１の実施例を示す内部構成を示す概略図、図２は実施例における紙幣入金機の内部構成を示す概略側面図、図３は実施例における硬貨入金機の要部平面図、図４は実施例の入金装置を用いた入金システムの構成図である。
まず、図４のシステム構成について説明すると、１は入金装置、２はホストコンピュータで、このホストコンピュータ２に通信回線３を介して複数の入金装置１が接続されている。
【００１４】
各入金装置１は、それぞれスーパーマーケットやショッピングセンター、パチンコ店等の店舗内の事務室等に設置され、店舗の売上金や釣銭準備金等の入金処理、計数処理、選別計数処理を行う装置であって、ここで、入金処理とは各店舗における売上金や釣銭準備金を金種別に鑑別計数して一時集積した後、収納金庫に収納する処理、計数処理は投入された硬貨や紙幣を金種別に鑑別計数して一時集積した後、その硬貨や紙幣を硬貨返却部や紙幣返却部から返却する処理、選別計数処理は投入された硬貨や紙幣を金種別に鑑別計数して予め指定された金種、枚数の硬貨や紙幣を一時集積し、その硬貨や紙幣を硬貨返却部や紙幣返却部から返却する処理で、特定の金種の硬貨や紙幣を指定枚数毎に分けたい場合に使用する機能である。
【００１５】
ホストコンピュータ２は現金管理センタに設置されていて、各入金装置１と電文の授受を行い、入金処理成立の判断を行うと共に、入金データ等の管理を行う機能を備えている。
次に、本実施例の入金装置１と紙幣入金機６及び硬貨入金機７の構成を図１〜図３により説明する。
【００１６】
本実施例の入金装置１は、図１に示すように操作表示部４、カードリーダ部（カード読取部）５、紙幣入金機６、及び硬貨入金機７を備えている。ここで、操作表示部４は、ＬＣＤ等による表示部とその表示部上に配置されたタッチパネル等の操作部により構成されていて、操作誘導の表示や、紙幣及び硬貨の計数結果の表示等を行うと共に、各種のキー等を表示して装置使用者に入力を行わせる機能を有しており、またカードリーダ部５は、カードの情報を非接触で読取る機能を有している。
【００１７】
紙幣入金機６は、図１及び図２に示すように入金処理時に店舗の売場等に設置された図示しないレジスタから回収した紙幣を一括して投入する紙幣投入部１１と、この紙幣投入部１１に受け入れた紙幣を１枚ずつ分離して繰出す図示しない繰出し部と、紙幣の真偽、金種等を鑑別すると共に鑑別した真券の紙幣を金種毎に計数する紙幣鑑別部１２と、この紙幣鑑別部１２で鑑別、計数された紙幣を集積して一時保留する紙幣一時保留部１３と、この紙幣一時保留部１３に集積された紙幣を入金確定後に収納する紙幣収納金庫１４と、紙幣鑑別部１２で金種不明等のためにリジェクトと鑑別されたリジェクト紙幣を排出する紙幣リジェクト部１５と、紙幣を搬送ベルト等で挟持して搬送する搬送部（紙幣搬送路）１７と、紙幣検知センサ１８を備えている。
【００１８】
ここで、搬送部１７は紙幣投入部１１から紙幣鑑別部１２を経て紙幣一時保留部１３、紙幣リジェクト部１５に至るように設けられており、紙幣一時保留部１３への分岐部には紙幣の搬送方向を切替える切替えブレードが設けられている。また、紙幣一時保留部１３は紙幣収納金庫１４の上方に設けられていて、集積した紙幣を紙幣収納金庫１４内に直接落下させることができるようになっている。この紙幣一時保留部１３は入金が取消されたとき等に紙幣一時保留部１３に集積された紙幣をオペレータに返却する紙幣返却部を兼ねており、紙幣の返却を可能にするための紙幣返却扉１６が設けられている。紙幣検知センサ１８は紙幣一時保留部１３の手前に設けられ、紙幣一時保留部１３に集積される紙幣がこの紙幣検知センサ１８により検知されることで、その紙幣について紙幣鑑別部１２での計数が確定するものとなっている。
【００１９】
一方、硬貨処理機２は、図１及び図３に示すように前記レジスタから回収した硬貨を一括して投入する硬貨投入部２１と、この硬貨投入部２１の下部に設けられた繰出し部２２と、繰出し部２２から繰出した硬貨を１枚ずつ引き取って搬送する搬送部（硬貨搬送部）２３と、硬貨の真偽、金種等を鑑別すると共に真と鑑別した硬貨を金種毎に計数する硬貨鑑別部２４と、この硬貨鑑別部２４で鑑別、計数された硬貨を集積して一時保留する硬貨一時保留部２５と、この硬貨一時保留部２５に集積された硬貨を入金確定後に収納する硬貨収納金庫２６と、硬貨鑑別部２４で金種不明等のためにリジェクトと鑑別されたリジェクト硬貨を排出する硬貨リジェクト部２７、入金が取消されたとき等に硬貨一時保留部２５に集積された硬貨を返却する硬貨返却部２８と、硬貨鑑別部２４での計数を確定する硬貨検知センサ２９を備えている。
【００２０】
ここで繰出し部２２は、図示しないモーターにより矢印で示した反時計回り方向に回転するように設けられていて、回転により繰出し口から硬貨を１枚ずつ分離して繰出すように構成されている。また、繰出し部２２の上方にある硬貨投入部２１は所定の位置に設けた支点を中心に上方に回転して開閉するように設けられ、硬貨投入部２１を開くことにより繰出し部２２は開放されるものとなっている。
【００２１】
搬送部２３は円板状に形成され、外周に複数の切欠部２３ａが設けられていて、モーターにより矢印で示した時計回り方向に回転するものとなっている。この搬送部２３は繰出し部２２により繰出された硬貨が一枚ずつ切欠部２３ａに送り込まれ、時計回り方向に回転することで硬貨を搬送する。硬貨鑑別部２４は、硬貨の形状（大きさ）、材質、厚さ等を検出する複数のセンサを備え、搬送部２３による硬貨搬送経路に設けられている。
【００２２】
硬貨検知センサ２９は搬送部２３による硬貨搬送経路の硬貨鑑別部２４より後方側（下流側）に位置するリジェクト孔３１と硬貨通過孔３２の間に設けられ、このリジェクト孔３１と硬貨通過孔３２は、リジェクト孔３１が硬貨通過孔３２よりも手前側（上流側）に位置するように搬送部２３の下面側に配置された固定板に設けられている。
【００２３】
尚、リジェクト孔３１には図示しない開閉機構が設けられていて、硬貨鑑別部２４で真と鑑別された硬貨が送られてきたときは開閉機構によりリジェクト孔３１を閉じ、リジェクトと鑑別された硬貨が送られてきたときは開閉機構によりリジェクト孔３１を開いてリジェクト硬貨を硬貨リジェクト部２７に落下させるように制御するものとなっている。
【００２４】
このような構成を有する紙幣入金機６及び硬貨入金機７は入金装置１の筺体内に隣接するように並べて配置され、その上面は図２に示す入金装置１のトップカバー８で覆われている。このトップカバー８は後部側の支点８ａを中心に回転して開閉するように設けられ、紙幣入金機６の紙幣投入部１１及び硬貨入金機７の硬貨投入部２１と対応する部分は開口している。
【００２５】
また、トップカバー８の内側（下方）には図２に示す紙幣入金機６の搬送部１７を覆うユニットカバー１９が支点１９ａを中心に回転して開閉するように設けられ、同様に硬貨入金機７の搬送部２３を覆う図示しない開閉可能なユニットカバーが設けられている。
尚、紙幣入金機６の搬送部１７と硬貨入金機７の搬送部２３は、ジャム紙幣やジャム硬貨除去のためトップカバー８を開いた状態で図示しない操作ノブ等の操作手段により動かすことができるようになっている。
【００２６】
図５は第１の実施例の作用を示すフローチャートで、図中のＳで示したステップに従って説明する。尚、以下に説明する各部の動作は、図示しない記憶部に格納されたプログラムに基づいて図示しない制御部により制御されるものとする。
【００２７】
Ｓ１：オペレータが操作表示部４で処理（取引）を選択する。図６は処理を選択するための操作表示部４に表示されたメニュー画面の例を示す図で、「入金」、「計数」、「選別計数」のボタンが表示されており、ここではオペレータが「入金」のボタンを押下して、入金処理を選択したものとする。
【００２８】
Ｓ２：操作表示部４にカードの提示を要求する画面が表示される。図７はこのときのカード要求画面の例を示す図で、例えば「カードを置いて下さい」等のメッセージと共に、カードを載置する位置を示すイラストが表示され、それに従ってオペレータは入金装置１を利用するためのカードをカードリード部５に載置する。
Ｓ３：カードリード部５は載置されたカードからカード情報を読取る。
【００２９】
Ｓ４：カードリード部５が読取ったカード情報はホストコンピュータ２に送られ、ホストコンピュータ２で登録済みカードか否か、つまり有効なカードか否かが判断されて、その判断結果が入金装置１に返送される。尚、入金装置１にカードの登録情報を持たせて、入金装置１の制御部により登録済みカードか否かを判断させることも可能である。
【００３０】
Ｓ５：カードが登録済みカードでない場合、操作表示部４にカードが無効である旨のメッセージを配したカードエラー画面が表示され処理終了となる。
Ｓ６：カードが登録済みの有効なカードの場合、操作表示部４に現金投入画面が表示される。図８は現金投入画面の例を示す図で、例えば「投入部に現金を投入し、スタートボタンを押して下さい」等のメッセージ、紙幣及び硬貨を投入する位置を示すイラストと共に「スタート」ボタン、「取消」ボタンが表示される。
【００３１】
Ｓ７：現金投入画面に従ってオペレータは紙幣及び硬貨を紙幣投入部１１及び硬貨投入部２１に投入する。
Ｓ８：更にオペレータは「スタート」ボタンを押下する。
【００３２】
Ｓ９：オペレータが「スタート」ボタンを押下すると、紙幣入金機６及び硬貨入金機７の動作が開始され、紙幣及び硬貨の鑑別、計数が開始され、紙幣投入部１１に投入された紙幣は図示しない繰出し部により１枚ずつ搬送部１７に繰出されて紙幣鑑別部１２に搬送される。そして紙幣鑑別部１２で真偽、金種等の鑑別が行われ、偽あるいは金種不明等によりリジェクトと鑑別された紙幣は紙幣リジェクト部１５に搬送されて、オペレータに返却され、そして真と鑑別された紙幣は金種毎に計数された後、紙幣返却部を兼ねている紙幣一時保留部１３に搬送されて集積され、一時保留されるが、その紙幣は紙幣一時保留部１３の手前で紙幣検知センサ１８により通過が検知され、紙幣鑑別部１２での計数が確定される。
【００３３】
一方、硬貨投入部２１に投入された硬貨は繰出し部２２により１枚ずつ搬送部２３に繰出されて硬貨鑑別部２４に搬送される。そして硬貨鑑別部２４で真偽、金種等の鑑別が行われ、偽あるいは金種不明等によりリジェクトと鑑別された硬貨は硬貨リジェクト孔３１の位置に搬送されて、このとき開いている硬貨リジェクト孔３１により硬貨リジェクト部２７に導かれ、硬貨リジェクト部２７からオペレータに返却される。また、真と鑑別された硬貨は金種毎に計数された後、硬貨通過孔３２の位置に搬送され、この硬貨通過孔３２により硬貨一時保留部２５に導かれて集積され、一時保留されるが、その硬貨は硬貨通過孔３２の手前で硬貨検知センサ２９により通過が検知され、硬貨鑑別部２４での計数が確定される。
【００３４】
Ｓ１０：前記のように鑑別、計数が開始されると、操作表示部４に計数中画面が表示される。図９は計数中画面の例を示す図で、紙幣及び硬貨の金種毎の枚数が表示され、計数が確定する毎に計数枚数が更新される。この画面には「中止」ボタンが表示され、この「中止」ボタンが押下された場合は、紙幣及び硬貨の繰出し、鑑別、計数が中止され、紙幣返却部を兼ねている紙幣一時保留部１３に一時保留された紙幣は紙幣返却扉１６を開いてオペレータに返却され、硬貨一時保留部２５に一時保留された硬貨は硬貨返却部２８に送られてオペレータに返却される。
【００３５】
Ｓ１１：前記のように鑑別、計数が開始されると、繰出し部２２に設けられた図示しないセンサにより硬貨の繰出し状態が監視され、搬送部２３への硬貨の繰出しができなくなるという繰出し不良が発生したか否かが制御部により判断されて、繰出し不良が発生したと判断された場合はＳ１７へ移行し、繰出し不良が発生していないと判断された場合は次のＳ１２へ進む。
【００３６】
Ｓ１２：制御部により鑑別、計数が終了したか否かが判断され、鑑別、計数が終了していない場合は鑑別、計数が継続され、鑑別、計数が終了した場合は次のＳ１３へ進む。
Ｓ１３：操作表示部４に選択画面が表示される。図１０は選択画面の例を示す図で、紙幣及び硬貨の金種毎の枚数が表示されると共に「確定」ボタン、「返却」ボタン、及び「追加投入」ボタンが表示される。
【００３７】
Ｓ１４：この画面を見てオペレータが「確定」ボタン、「返却」ボタン、「追加投入」ボタンのいずれかを押下すると、どのボタンが押下されたかが制御部により判断される。ここで「追加投入」ボタンが押下された場合は、Ｓ６からの処理が繰り返され、「確定」ボタンが押下された場合はＳ１５へ進み、「返却」ボタンが押下された場合はＳ１６へ移行する。
【００３８】
Ｓ１５：「確定」ボタンが押下された場合、紙幣一時保留部１３に一時保留されている紙幣が紙幣収納金庫１４に収納され、硬貨一時保留部２５に一時保留されている硬貨が硬貨収納金庫２６に収納されて処理終了となる。
Ｓ１６：「返却」ボタンが押下された場合は、紙幣一時保留部１３に一時保留された紙幣は紙幣返却扉１６を開いてオペレータに返却され、硬貨一時保留部２５に一時保留された硬貨は紙幣返却部１６及び硬貨返却部２８に送られ、オペレータに返却されて処理終了となる。
【００３９】
Ｓ１７：前記Ｓ１１で繰出し不良が発生したと判断された場合、紙幣入金機６及び硬貨入金機７の繰出し、搬送、鑑別、計数動作が中断され、操作表示部４にカバー開誘導画面が表示される。図１１はカバー開誘導画面の例を示す図で、例えば「硬貨が詰まりました、レバーを掴んでトップカバーを開けて下さい」等の操作を促すメッセージ、トップカバーを開けた状態とレバーの位置を示すイラストと共に「レバー解除を行ってトップカバーを持ち上げてください」等の具体的操作方法を教えるメッセージが表示される。
【００４０】
Ｓ１８：この画面に従ってオペレータはレバーを掴んでトップカバー８を開けるが、このときトップカバー８が開けられたか否かが図示しないセンサの出力に基づいて制御部により判断される。
【００４１】
Ｓ１９：トップカバー８が開けられると操作表示部４に繰出し不良除去画面が表示される。図１２は繰出し不良除去画面の例を示す図で、例えば「硬貨投入部を開けて、異物または変形硬貨等があれば除去して下さい」等の繰出し不良の原因除去の操作を促すメッセージ、硬貨投入部の開け方の手順を示すイラストと共に「除去後、硬貨投入部を閉め、トップカバーを閉めてください」等の硬貨投入部閉とトップカバー閉を促すメッセージ、及び「確認」ボタンが表示される。
【００４２】
Ｓ２０：この画面に従ってオペレータは硬貨投入部２１を開いて繰出し部２２を開放し、繰出し部２２の異物または変形硬貨等を取除くことで繰出し不良の原因を除去した後、硬貨投入部２１を閉めてからトップカバー８を閉めるが、このとき「確認」ボタンが押下されたか否かによってトップカバー８が閉められたか否かが制御部により判断される。
【００４３】
Ｓ２１：トップカバー８が閉められると、トップカバー８が開けられてから閉められるまでの間に紙幣入金機６のユニットカバー１９及び硬貨入金機７の図示しないユニットカバーを開けられず、かつ硬貨検知センサ２９の出力に変化があったか否かが制御部により判断される。硬貨検知センサ２９の出力に変化がない場合、制御部は搬送部２３が動かされず、鑑別、計数の中断時における搬送部２３の硬貨の状態が保たれているものと判断し、中断時までの計数結果を生かすためＳ９に戻って鑑別、計数の処理を再開させる。
【００４４】
S２２：硬貨検知センサ２９の出力に変化があった場合、制御部は図示しない操作ノブ等により搬送部２３が回転させられた（動かされた）ものと判断し、この場合は鑑別、計数されていない硬貨が硬貨通過孔３２に運ばれて硬貨一時保留部２５に集積され、最終的に硬貨収納金庫２６に収納されて、計数結果と金庫内の現金とが一致しなくなる等の可能性があるため、操作表示部４に障害が発生した旨を知らせる障害発生画面が表示され、投入されたすべての紙幣、硬貨をオペレータに返却して処理終了となる。
【００４５】
尚、トップカバー８が開けられた状態で、紙幣入金機６のユニットカバー１９及び硬貨入金機７の図示しないユニットカバーを開けられたことが図示しないセンサにより検知された場合は障害とし、それまでの計数結果を無効として投入されたすべての紙幣、硬貨をオペレータに返却する。
【００４６】
以上説明したように、第１の実施例では、硬貨の鑑別、計数中に繰出し部２２で硬貨の繰出し不良が発生した場合、鑑別、計数を中断して、トップカバー８を開けて繰出し不良の原因を除去させ、その後トップカバー８を閉めると、トップカバー８が開けられてから閉められるまでの間に搬送部２３が動かされたか否かを判断し、動かされなかった場合は鑑別、計数の中断時における搬送部２３の硬貨の状態が保たれているものとして、鑑別、計数を再開し、搬送部２３が動かされた場合、それまでの計数結果を無効として投入されたすべての紙幣、硬貨をオペレータに返却するようにしているため、繰出し部２２で硬貨の繰出し不良が発生して、トップカバー８を開けた場合でも、搬送部２３が動かされなかった場合は、それまでの計数結果を生かすことができ、そして搬送部２３が動かされた場合は、計数結果と金庫内の現金とが一致しなくなるという問題を解決できるという効果が得られる。
【実施例２】
【００４７】
次に第２の実施例について説明する。この第２の実施例の構成は第１の実施例と同様である。図１３は第２の実施例の作用を示すフローチャートで、図中のＳで示したステップに従って上述した構成の作用について説明する。
尚、以下に説明する各部の動作は、第１の実施例と同様に図示しない記憶部に格納されたプログラムに基づいて図示しない制御部により制御されるものとする。
【００４８】
図１３においてＳ１からＳ２０までは第１の実施例（図５のＳ１からＳ２０）と同様に処理が行われる。
【００４９】
Ｓ２１：繰出し不良の原因を除去した後トップカバー８が閉められると、トップカバー８が開けられてから閉められるまでの間に紙幣入金機６のユニットカバー１９及び硬貨入金機７の図示しないユニットカバーを開けられず、かつ紙幣検知センサ１８の出力に変化があったか否かが制御部により判断される。紙幣検知センサ１８の出力に変化がない場合、制御部は搬送部１７が動かされず、鑑別、計数の中断時における搬送部１７の紙幣の状態が保たれているものと判断し、中断時までの計数結果を生かすためＳ９に戻って鑑別、計数の処理を再開させる。
【００５０】
Ｓ２２：紙幣センサ１８の出力に変化があった場合、制御部は図示しない手動操作等により搬送部１７が動かされたものと判断し、この場合は鑑別、計数されていない紙幣が一時保留部１３に搬送されて集積され、最終的に紙幣収納金庫１４に収納されて、計数結果と金庫内の現金とが一致しなくなる等の可能性があるため、操作表示部４に障害が発生した旨を知らせる障害発生画面が表示され、投入されたすべての紙幣、硬貨をオペレータに返却して処理終了となる。
【００５１】
尚、この第２の実施例においてもトップカバー８が開けられた状態で、紙幣入金機６のユニットカバー１９及び硬貨入金機７の図示しないユニットカバーを開けられたことが図示しないセンサにより検知された場合は障害とし、それまでの計数結果を無効として投入されたすべての紙幣、硬貨をオペレータに返却する。
【００５２】
以上説明したように、第２の実施例では、硬貨の鑑別、計数中に繰出し部２２で硬貨の繰出し不良が発生した場合、鑑別、計数を中断して、トップカバー８を開けて繰出し不良の原因を除去させ、その後トップカバー８を閉めると、トップカバー８が開けられてから閉められるまでの間に搬送部１７が動かされたか否かを判断し、動かされなかった場合は鑑別、計数の中断時における搬送部１７の紙幣の状態が保たれているものとして、鑑別、計数を再開し、搬送部１７が動かされた場合、それまでの計数結果を無効として投入されたすべての紙幣、硬貨をオペレータに返却するようにしているため、繰出し部２２で硬貨の繰出し不良が発生して、トップカバー８を開けた場合でも、搬送部１７が動かされなかった場合は、それまでの計数結果を生かすことができ、そして搬送部１７が動かされた場合は、計数結果と金庫内の現金とが一致しなくなるという問題を解決できるという効果が得られる。
【実施例３】
【００５３】
次に第３の実施例について説明する。この第３の実施例の構成は第１の実施例と同様である。図１４は第３の実施例の作用を示すフローチャートで、図中のＳで示したステップに従って上述した構成の作用について説明する。
【００５４】
尚、以下に説明する各部の動作は、第１の実施例と同様図示しない記憶部に格納されたプログラムに基づいて図示しない制御部により制御されるものとする。
図１４においてＳ１からＳ１６までは第１の実施例（図５のＳ１からＳ１６）と同様に処理が行われる。
【００５５】
Ｓ１７：Ｓ１１で繰出し不良が発生したと判断された場合、紙幣入金機６及び硬貨入金機７の繰出し、搬送、鑑別、計数動作が中断され、そして図示しない開閉機構によりリジェクト孔３１が開かれる。また、紙幣についても、紙幣が紙幣リジェクト１５に導かれるように搬送部１７に設けられた切替えブレードの搬送方向が切替えられる。
【００５６】
Ｓ１８：操作表示部４に図１１に示したカバー開誘導画面が表示される。このカバー開誘導画面には、第１の実施例と同様に、例えば「硬貨が詰まりました、レバーを掴んでトップカバーを開けて下さい」等の操作を促すメッセージ、トップカバーを開けた状態とレバーの位置を示すイラストと共に「レバー解除を行ってトップカバーを持ち上げてください」等の具体的操作方法を教えるメッセージが表示される。
【００５７】
Ｓ１９：この画面に従ってオペレータはレバーを掴んでトップカバー８を開けるが、このときトップカバー８が開けられたか否かが図示しないセンサの出力に基づいて制御部により判断される。
【００５８】
Ｓ２０：トップカバー８が開けられると操作表示部４に図１２に示した繰出し不良除去画面が表示される。この繰出し不良除去画面には、第１の実施例と同様に、例えば「硬貨投入部を開けて、異物または変形硬貨等があれば除去して下さい」等の繰出し不良の原因除去の操作を促すメッセージ、硬貨投入部の開け方の手順を示すイラストと共に「除去後、硬貨投入部を閉め、トップカバーを閉めてください」等の硬貨投入部閉とトップカバー閉を促すメッセージ、及び「確認」ボタンが表示される。
【００５９】
Ｓ２１：この画面に従ってオペレータは硬貨投入部２１を開いて繰出し部２２を開放し、繰出し部２２の異物または変形硬貨等を取除くことで繰出し不良の原因を除去した後、硬貨投入部２１を閉めてからトップカバー８を閉めるが、このとき「確認」ボタンが押下されたか否かによってトップカバー８が閉められたか否かが制御部により判断される。
【００６０】
Ｓ２１：トップカバー８が閉められると、Ｓ９に戻って鑑別、計数の処理が再開される。
この場合、トップカバー８が開けられてから閉められるまでの間に紙幣入金機６のユニットカバー１９及び硬貨入金機７の図示しないユニットカバーを開けられなければ、図示しない操作ノブ等により搬送部１７、２３が回転させられ（動かされ）ても、計数が確定していない紙幣は紙幣リジェクト部１５に送られ、またリジェクト孔３１に落ちて硬貨リジェクト部２７に導かれることになる。計数が確定していない硬貨はリジェクト孔３１に落ちて硬貨リジェクト部２７に導かれることになる。
【００６１】
また、リジェクト孔３１を既に通過した真の硬貨は硬貨検知センサ２９に検知されて計数が確定しているので、この硬貨が搬送部２３の回転により硬貨通過孔３２から落ちて硬貨一時保留部２５に送られても、計数結果と金庫内の現金とが一致しなくなるという問題を生じることはなく、中断時までの計数結果を生かして鑑別、計数の処理を再開させることが可能になる。紙幣についても同様である。
【００６２】
尚、この第３の実施例においてもトップカバー８が開けられた状態で、紙幣入金機６のユニットカバー１９及び硬貨入金機７の図示しないユニットカバーを開けられたことが図示しないセンサにより検知された場合は障害とし、それまでの計数結果を無効として投入されたすべての紙幣、硬貨をオペレータに返却する。
【００６３】
以上説明したように、第３の実施例では、硬貨の鑑別、計数中に繰出し部２２で硬貨の繰出し不良が発生した場合、鑑別、計数を中断して、リジェクト孔３１を開くと共に、紙幣が紙幣リジェクト１５に導かれるように搬送部１７に設けられた切替えブレードの搬送方向が切替え、この状態でトップカバー８を開けて繰出し不良の原因を除去させ、その後トップカバー８を閉めると、鑑別、計数を再開するようにしているため、搬送部１７が動かされたとしても、計数が確定していない硬貨や紙幣を硬貨リジェクト部２７や紙幣リジェクト部１５に排除することができ、そのため鑑別、計数の中断時までの計数結果を生かすことができ、計数結果と金庫内の現金とが一致しなくなるという問題を解決できるという効果が得られる。
【００６４】
尚、上述した各実施例は紙幣及び硬貨の入金処理を例にして説明したが、計数処理、選別計数処理についても同様に制御することが可能であり、同様の効果が得られる。
【符号の説明】
【００６５】
１    入金装置
２    ホストコンピュータ
３    通信回線
４    操作表示部
５    カードリーダ部
６    紙幣入金機
７    硬貨入金機
８    トップカバー
１１  紙幣投入部
１２  紙幣鑑別部
１３  紙幣一時保留部
１４  紙幣収納金庫
１５  紙幣リジェクト部
１６  紙幣返却扉
１７  搬送部
１８  紙幣検知センサ
１９  ユニットカバー
２１  硬貨投入部
２２  繰出し部
２３  搬送部
２３ａ  切欠部
２４  硬貨鑑別部
２５  硬貨一時保留部
２６  硬貨収納金庫
２７  硬貨リジェクト部
２８  硬貨返却部
２９  硬貨検知センサ
３１  リジェクト孔
３２  硬貨通過孔
【図１】
0005543291.tif 000002
【図２】
0005543291.tif 000003
【図３】
0005543291.tif 000004
【図４】
0005543291.tif 000005
【図５】
0005543291.tif 000006
【図６】
0005543291.tif 000007
【図７】
0005543291.tif 000008
【図８】
0005543291.tif 000009
【図９】
0005543291.tif 000010
【図１０】
0005543291.tif 000011
【図１１】
0005543291.tif 000012
【図１２】
0005543291.tif 000013
【図１３】
0005543291.tif 000014
【図１４】
0005543291.tif 000015